(57)【要約】【課題】製品がキャリアテープ内に収容されて供給可能とされたテーピング部品に関し、収容された端子付きの製品を取り出して装着または搭載状態とするまでの作業効率化が図れる構成とされたテーピング部品を提供する。【解決手段】キャリアテープ４１に設けられた製品収容用の凹部５１において、上記凹部５１内にピン６１を挿入することが可能な貫通孔５２を、収容したプッシュオンスイッチ２０の重心を外れた上記凹部５１の底面部位置に設けたものとしたため、ピン６１の挿入に伴って当該プッシュオンスイッチ２０が起立状態にできて、持ち替えることなく当該プッシュオンスイッチ２０を凹部５１から取り出してそのまま装着または搭載することができる。【選択図】図５
2008213926.tif 000002
【特許請求の範囲】
【請求項１】
プラスチック製のキャリアテープに製品収容用の凹部が定ピッチで複数個設けられ、この凹部内に製品が収容されて上記凹部上がカバーテープで封じられたテーピング部品であって、上記凹部内にピンを挿入することが可能な貫通孔が上記凹部の底面部に設けられ、その貫通孔が、収容した製品の重心を外れた対向位置に設けられているテーピング部品。
【請求項２】
キャリアテープにおける凹部の底面部に設けられた貫通孔から上記凹部内にピンを挿入して収容した製品を起立させた際、上記製品の起立状態を維持する壁を有する補助凹部を更に設けた請求項１記載のテーピング部品。
【発明の詳細な説明】
【技術分野】
【０００１】
本発明は、各種電子機器を構成するために使用される電子部品などの製品がキャリアテープ内に収容されて供給可能とされたテーピング部品に関するものである。
【背景技術】
【０００２】
近年、各種電子機器の組み立ての際に、使用する各種電子部品を自動実装機を用いて実装することが多くなり、その自動実装対応のため、エンボス加工により製品収容用の凹部が定ピッチで複数個設けられたプラスチック製のキャリアテープを用い、その凹部内に製品としてなる各種電子部品を収容して上記凹部上をカバーテープで封じたテーピング部品が多く用いられている。
【０００３】
ここで、上記形態のテーピング部品につき、収容された製品が実装されるまでの工程を含めて説明する。
【０００４】
図６は従来のテーピング部品のキャリアテープへの製品収容状態を説明するためにカバーテープを除いて示した上面図、図７は同カバーテープ付きの完成状態での断面図、図８は同キャリアテープのみの上面図、図９は収容された製品としてなる圧接端子付きのプッシュオンスイッチの外観斜視図である。
【０００５】
従来のテーピング部品は、図６〜図８に示したように、製品収容用の凹部１１が定ピッチで複数個設けられたプラスチック製のキャリアテープ１の上記凹部１１内に、それぞれ製品としてなる圧接端子付きのプッシュオンスイッチ２０が収容され、その凹部１１上を覆って封じるようにカバーテープ５がキャリアテープ１上面に貼り合わせられて構成されている。
【０００６】
ここで、上記従来のテーピング部品の収容製品である圧接端子付きのプッシュオンスイッチ２０について簡単に説明すると、当該プッシュオンスイッチ２０は図９の外観斜視図に示したように、ケース部２１は、前面視横長で薄い厚みの略直方体形状に形成されている。そして、ケース部２１の左右位置それぞれに押圧型スイッチ素子が内包されており、そのスイッチ素子の配設位置にあたるケース部２１前面箇所に可撓性絶縁フィルム２３がそれぞれ貼り付けられている。また、それらのスイッチ素子に繋がる端子２５は、ケース部２１の中間位置底部から下方に向けて導出されている。
【０００７】
なお、以下でも上記記載内容に合わせて、ケース部２１の可撓性絶縁フィルム２３が貼り付けられた側を当該プッシュオンスイッチ２０の前面側、またその反対側を背面側、さらに、端子２５が導出された方向を下方向と当該プッシュオンスイッチ２０における方向を定義して説明する。
【０００８】
上記端子２５は、弾性を備えた金属薄板製で、その形状は、上記ケース部２１の下方側に導出された導出部分が、前方が開口した略くの字状で曲げ形成された第１曲げ部２６、さらに、その第１曲げ部２６先端が上方に向けて曲げ形成された第２曲げ部２７を有する形状に形成されている。そして、当該プッシュオンスイッチ２０は、上記第２曲げ部２７の下方側に向いた面側を対応する配線パターンに圧接させて電気的に接続させる圧接接続形態のものとなっている。
【０００９】
そして、従来のテーピング部品は、図６および図７に示したように、上記構成のプッシュオンスイッチ２０が、可撓性絶縁フィルム２３が貼り付けられているケース部２１の前面側をキャリアテープ１のそれぞれの凹部１１の上方開口側に向けて、その背面を各凹部１１の底面部上に載せられて収容されている。
【００１０】
以上のように、従来のテーピング部品は製品としてなるプッシュオンスイッチ２０を収容したものであり、その使用時には、カバーテープ５を剥がした後、図１０に示したように、露出したプッシュオンスイッチ２０のケース部２１における前面中央位置を吸着チャック３０で吸着保持し、プッシュオンスイッチ２０を上記載置状態での方向を維持してキャリアテープ１の凹部１１内から取り出す。
【００１１】
続いて、図１１に示すように、可動部３２Ａと固定部３２Ｂとが対向して配されて構成された保持部を両端部それぞれに有する保持用チャック３２の上記保持部で、プッシュオンスイッチ２０の端子２５が導出された側からケース部２１の左右両端位置の前面および背面間を保持し、その後、吸着チャック３０による吸着を停止して吸着チャック３０がプッシュオンスイッチ２０から離される。
【００１２】
続いて、図１２に示すように、プッシュオンスイッチ２０のケース部２１外形に応じた係合部３５Ａを左右位置に有するスイッチ配置用部材３５を準備し、保持用チャック３２の保持部で保持されたプッシュオンスイッチ２０を、そのスイッチ配置用部材３５の係合部３５Ａにケース部２１の上端側から嵌め込んでプッシュオンスイッチ２０から保持用チャック３２を離し、最後に、図１３に示したプッシュオンスイッチ２０が嵌め込まれたスイッチ配置用部材３５を機器筐体などで位置決め保持させるなどして、筐体内に配された配線基板の配線パターン（図示せず）に対してプッシュオンスイッチ２０の端子２５を圧接状態として当該プッシュオンスイッチ２０は機器内に搭載されるものであった。
【００１３】
なお、この出願の発明に関連する先行技術文献情報としては、例えば、特許文献１が知られている。
【特許文献１】特開２００３−２６２２９号公報
【発明の開示】
【発明が解決しようとする課題】
【００１４】
上記従来のテーピング部品においては、収容されたプッシュオンスイッチ２０が異形部品であり、その収容状態で端子２５の伸びる方向が凹部１１内において水平方向に向く方向で収容されていた。このために、プッシュオンスイッチ２０を吸着チャック３０で吸着してキャリアテープ１の凹部１１内から取り出したとしても、そのままでは、端子２５の方向が水平側に向いた状態であるため使用する配線基板に即座に装着することができない、さらには、当該製品の端子２５は圧接タイプであったため、上記プッシュオンスイッチ２０を搭載状態にするには、それをスイッチ配置用部材３５に対して嵌め込み、その後上記スイッチ配置用部材３５を位置決め保持して端子２５を配線基板の配線パターンに圧接させなければならず、いずれにしてもプッシュオンスイッチ２０を吸着チャック３０で吸着して取り出した後に、保持用チャック３２での持ち替えが必要であり、搭載状態とするまでの作業工数がかかるという課題があった。
【００１５】
本発明は、このような従来の課題を解決するものであり、収容された製品を取り出して装着または搭載状態とするまでの作業効率化が図れるテーピング部品を提供することを目的とする。
【課題を解決するための手段】
【００１６】
上記目的を達成するために本発明は、以下の構成を有するものである。
【００１７】
本発明の請求項１に記載の発明は、プラスチック製のキャリアテープに製品収容用の凹部が定ピッチで複数個設けられ、この凹部内に製品が収容されて上記凹部上がカバーテープで封じられたテーピング部品であって、上記凹部内にピンを挿入することが可能な貫通孔が上記凹部の底面部に設けられ、その貫通孔が、収容した製品の重心を外れた対向位置に設けられているテーピング部品としたものであり、当該構成であれば、カバーテープを剥がした後、凹部の底面部に設けられた貫通孔に対して外方からピンを挿入していくと、製品は重心位置でない箇所がピンで押し上げられて起立状態となって、その状態で製品を保持して取り出すことができるため、持ち替えることなく上記取り出した製品を装着または搭載することが可能となるという作用を有する。
【００１８】
本発明の請求項２に記載の発明は、請求項１記載の発明において、キャリアテープにおける凹部の底面部に設けられた貫通孔から上記凹部内にピンを挿入して収容した製品を起立させた際、上記製品の起立状態を維持する壁を有する補助凹部を更に設けたものであり、ピンの挿入時にピンで押し上げられた製品は、補助凹部に入って、しかもその補助凹部の壁で補助されつつ、確実に製品の起立状態が維持されるものにでき、製品を取り出す際の製品の保持が容易に行えるものにできるという作用を有する。
【発明の効果】
【００１９】
以上のように本発明によれば、収容された製品を起立状態として凹部内から取り出せるため、持ち替えることなく当該製品を装着または搭載状態とすることができ、収容された製品の取り出しから装着または搭載状態とするまでの作業の効率化が図れるテーピング部品が実現できるという有利な効果が得られる。
【発明を実施するための最良の形態】
【００２０】
以下、本発明の実施の形態について、図１〜図５を用いて説明する。
【００２１】
なお、当該実施の形態においても、従来の技術の項と同様にプッシュオンスイッチ２０を収容したものを事例として説明する。そして、従来の技術の項で説明した構成と同一構成の部分には同一符号を付して詳細な説明を簡略化する。
【００２２】
（実施の形態）
図１は本発明の一実施の形態によるテーピング部品の製品収容状態を説明する断面図、図２は同製品収容状態でのカバーテープを除いて示した上面図、図３は同キャリアテープのみの上面図である。
【００２３】
同図に示したように、本発明によるテーピング部品のキャリアテープ４１は、プラスチック製の長尺帯状で、製品収容用の凹部５１およびそれに繋げて形成された補助凹部５５が定ピッチで複数個設けられており、その各凹部５１内には、プッシュオンスイッチ２０の前面側が上方開口方向に向けて収容され、各凹部５１の開口部を覆って封じられるようにカバーテープ５がキャリアテープ４１上面に貼り合わせられて構成されている。その製品としてなるプッシュオンスイッチ２０は、凹部５１の底面部における載置面５１Ａ上にケース部２１の背面部が当接状態に載せられて収容されている。
【００２４】
そして、個々の凹部５１の底面部には、凹部５１内に収容された製品（プッシュオンスイッチ２０）に対して、プッシュオンスイッチ２０の重心を外れた位置にそれぞれ円形の貫通孔５２が対向して設けられている。つまり、当該テーピング部品においては、プッシュオンスイッチ２０の端子２５の第１曲げ部２６に対向する凹部５１の底面部位置に貫通孔５２がそれぞれ形成されている。
【００２５】
そして、補助凹部５５は、凹部５１のプッシュオンスイッチ２０を収容した際に端子２５とは反対側の位置に凹部５１と繋げて形成されている。
【００２６】
この補助凹部５５の形状は、プッシュオンスイッチ２０上端の厚み、幅よりも若干大きく形成された細幅の溝状で、その補助凹部５５の凹部５１とは反対側の壁５６は、上方になるにつれて若干凹部５１と離れていく傾斜角度で直線的に立ち上がってカバーテープ５が貼り合わされているキャリアテープ４１上面に繋がっている。また、補助凹部５５の内底面５５Ａの高さ位置は、プッシュオンスイッチ２０のケース部２１が載置されている凹部５１内の載置面５１Ａより一段下がった高さ位置に設定されている。
【００２７】
当該実施の形態によるテーピング部品は、以上のように構成されるものであり、次に、その使用状態について説明する。
【００２８】
まず、該テーピング部品において、カバーテープ５をキャリアテープ４１上面から剥がし、続いて、図４に示すように、凹部５１の底面部位置に設けられた貫通孔５２に対して、ピン６１を外方から凹部５１内に挿入していく。
【００２９】
上記ピン６１の凹部５１内への挿入に伴って、ピン６１の先端が端子２５の第１曲げ部２６に当たって当該部分が押し上げられる。このとき、上記押し上げ箇所は製品重心と異なる位置であるため、製品としてなるプッシュオンスイッチ２０は上記の押し上げに際して傾斜していき、その後、図５に示すように、凹部５１に繋げて設けられた補助凹部５５内にケース部２１の上端側から落ち込み、ケース部２１の上端が補助凹部５５の内底面５５Ａに当接し、その前面側が補助凹部５５の凹部５１とは反対側の壁５６にもたれて製品搭載状態と逆転した起立状態となってその状態が維持される。
【００３０】
そして、上記起立状態で、ケース部２１における下方部分はキャリアテープ４１の上面位置よりも上方に突出しており、これに対して図５に実線の矢印で示したように、突出しているケース部２１の端子２５側の方向から保持用チャック３２を移動していき従来同様に保持用チャック３２の可動部３２Ａと固定部３２Ｂとの間にケース部２１の左右位置を挿入させ、続いて、上記可動部３２Ａを図５の点線の矢印で示すように移動させてケース部２１を保持部で保持させる。その後、図示は省略するが、保持用チャック３２が移動されて保持しているプッシュオンスイッチ２０がスイッチ配置用部材３５の係合部３５Ａに嵌め込まれ、さらにそのスイッチ配置用部材３５を機器筐体などによって位置決め保持させてプッシュオンスイッチ２０を筐体内に配された配線基板の配線パターンに圧接接続させた搭載状態とすることができる。
【００３１】
以上のように、異形部品である当該プッシュオンスイッチ２０であっても、一回のチャックのみで所定の部材（スイッチ配置用部材３５）への組み込みが可能となり、従来よりも搭載状態に至るまでの作業工数が低減化できる。
【００３２】
当該構成のテーピング部品は、上述したように、製品収容用の凹部５１内にピン６１を挿入していくのみで溝状に設けた補助凹部５５内に製品を落ち込ませて位置決めしつつ起立状態にできる上、その製品を補助凹部５５の壁５６にもたれさせて上記起立状態が維持できる仕様としているため、特に薄型の製品に適用すると有用である。なお、ピン６１の形状は特に限定されることはなく、また、ピン６１で製品を押し上げて傾斜させていった際に、製品が自立可能な形状である場合は、その起立状態での位置決めのみが可能な構成とされてあってもよく、壁５６の形状などは製品外形等に応じて適宜設定すればよい。
【００３３】
なお、当該テーピング部品での収容製品は、上記プッシュオンスイッチ２０に限られることもなく、その他の各種電子部品であってもよい。
【００３４】
また、上記に説明した以外に、端子側が下方に向けて位置するように起立状態になるものとすることも有用である。
【００３５】
すなわち、ディップ半田付けされる端子を備えた電子部品においても、その端子が水平に向いた状態でキャリアテープの凹部内に収容されたテーピング部品であれば、その収容状態のままで吸着してキャリアテープから取り出したとしても上記端子側を下方に向けるように持ち替える必要が生じる。
【００３６】
ここで、ピンの凹部内への挿入に伴って、収容製品の重心とは異なる位置をピンで押し上げた際に、端子側が下方に移動していって上記同様にその製品が位置決めされた起立状態となるように凹部や補助凹部を構成したものとすることによって上記起立した製品をチャックしてそのまま対応する配線基板に装着することが可能になる。なお、当該仕様のときには、起立状態とした際に端子を逃がすための深い窪み部分をキャリアテープに形成しなければならないが、キャリアテープの素材の厚みなどを適宜設定すれば上記構成とすることも可能である。
【産業上の利用可能性】
【００３７】
本発明によるテーピング部品は、収容された製品を起立状態として凹部内から取り出せるため、持ち替えることなく当該製品を装着または搭載状態とすることが可能となり、収容された製品の取り出しから装着または搭載状態とするまでの作業効率化を図ることができるという特徴を有し、各種電子機器の構成時などに有用である。
【図面の簡単な説明】
【００３８】
【図１】本発明の一実施の形態によるテーピング部品の製品収容状態を説明する断面図
【図２】同製品収容状態でのカバーテープを除いて示した上面図
【図３】同キャリアテープのみの上面図
【図４】同収容された製品をキャリアテープから取り出す状態を説明する図
【図５】同収容された製品をキャリアテープから取り出す状態を説明する図
【図６】従来のテーピング部品のキャリアテープへの製品収容状態を説明するためにカバーテープを除いて示した上面図
【図７】同カバーテープ付きの完成状態での断面図
【図８】同キャリアテープのみの上面図
【図９】同収容された製品としてなる圧接端子付きのプッシュオンスイッチの外観斜視図
【図１０】同収容された製品をキャリアテープから取り出す状態を説明する図
【図１１】同製品を保持用チャックで持ち替える状態を説明する図
【図１２】同製品をスイッチ配置用部材に装着する状態を説明する図
【図１３】同製品のスイッチ配置用部材への装着後の状態を示す図
【符号の説明】
【００３９】
５  カバーテープ
２０  プッシュオンスイッチ
２１  ケース部
２５  端子
２６  第１曲げ部
３２  保持用チャック
３２Ａ  可動部
３２Ｂ  固定部
３５  スイッチ配置用部材
３５Ａ  係合部
４１  キャリアテープ
５１  凹部
５１Ａ  載置面
５２  貫通孔
５５  補助凹部
５５Ａ  補助凹部の内底面
５６  壁
６１  ピン
【図１】
2008213926.tif 000003
【図２】
2008213926.tif 000004
【図３】
2008213926.tif 000005
【図４】
2008213926.tif 000006
【図５】
2008213926.tif 000007
【図６】
2008213926.tif 000008
【図７】
2008213926.tif 000009
【図８】
2008213926.tif 000010
【図９】
2008213926.tif 000011
【図１０】
2008213926.tif 000012
【図１１】
2008213926.tif 000013
【図１２】
2008213926.tif 000014
【図１３】
2008213926.tif 000015